(57)【特許請求の範囲】
【請求項１】
電線の樹脂被覆を除去して導体露出部を形成する電線加工工程と、
前記導体露出部の位置に端子金具を接続して電線・端子接続部を形成する電線・端子接続工程と、
前記電線・端子接続部を覆う封止部を形成するため、ノズルから封止材を前記電線・端子接続部に供給する封止材供給工程とを含んで製造するとともに、
該封止材供給工程では、
前記ノズル及び前記端子金具の間に電圧を印加することによって前記封止材に前記端子金具に誘起された電荷に対して極性を有する電荷を誘起し、かつ、前記ノズルをＸＹＺ方向に移動させて、又は、前記電線・端子接続部と前記ノズルとの相対位置関係をＸＹＺ方向に変化させて、前記封止材を糸引き状態で、前記ノズルによる前記封止材の供給位置の反対側を含む前記電線・端子接続部の端子軸回り全周にわたって覆うように供給する
ことを特徴とする電線付き端子の製造方法。
【請求項２】
請求項１に記載の電線付き端子の製造方法において、
前記電線・端子接続工程では、前記導体露出部を前記端子金具の導体加締め片にて加締めてなる導体加締め部分と、該導体加締め部分周辺の非加締め部分と、前記導体露出部近傍の前記樹脂被覆を前記端子金具の被覆加締め片にて加締めてなる被覆加締め部分とを含む範囲で前記電線・端子接続部を形成し、
前記封止材供給工程では、前記範囲で形成された電線・端子接続部を覆うように前記封止材を供給するとともに、該供給にあたっては少なくとも前記非加締め部分の位置で、前記ノズルを前記ＸＹＺ方向に移動させる、又は、前記電線・端子接続部と前記ノズルとの相対位置関係をＸＹＺ方向に変化させる
ことを特徴とする電線付き端子の製造方法。
【請求項３】
請求項１又は２に記載の電線付き端子の製造方法において、
前記封止材供給工程の前に前記電線・端子接続部を所定位置からカメラにて撮影するとともに、該撮影された画像をもとに前記ノズルの初期位置を決定するノズル初期位置決定工程を更に含む
ことを特徴とする電線付き端子の製造方法。
【発明の詳細な説明】
【技術分野】
【０００１】
本発明は、例えば、電線及び端子金具における異種金属同士の接続部分に防食部を形成してなる電線付き端子の製造方法に関する。
【背景技術】
【０００２】
例えば、自動車に搭載される機器間を電気的に接続するために、車両にはワイヤハーネスが配索される。ワイヤハーネスは、電線束と、この電線束の端末に配設される各種のコネクタとを備えて構成される。ワイヤハーネスのコネクタは、絶縁性のコネクタハウジングと、このコネクタハウジングの端子収容室に収容される複数の導電性の端子金具とを備えて構成される。端子金具は、電線束を構成する電線の端末に配設される。電線は、一般的に銅電線（導体が銅製又は銅合金製の撚り線になるもの）が用いられ、そして、この銅電線の端末を皮剥した後に端子金具が圧着により接続される。尚、端子金具は、母材が銅電線の導体と同じ銅製又は銅合金製であり、メッキが施されることもある。
【０００３】
近年、銅資源の不足に加え、車両の軽量化、材料のリサイクルの容易性を考慮して、銅電線に替えてアルミ電線が用いられることもある（アルミ電線とは、本明細書において、導体がアルミニウム製又はアルミニウム合金製のものを称する）。しかしながら、アルミ電線は、銅電線を構成する導体の材料である銅に比べて表面に形成される酸化被膜が厚く、アルミ電線においては、この導体と端子金具（圧着端子）との間の接触抵抗が比較的高くなる傾向にあることが知られる。そこで、アルミ電線の導体と圧着端子との間の接触抵抗を低減するために、圧着端子に形成される一対の導体加締め片にて導体を強く加締めて圧縮率を高くする方法が採用される。この方法によれば、アルミ電線の導体を強く加締めることにより、導体を構成する各素線の酸化被膜を破壊することができる。すなわち、導体と圧着端子との間の接触抵抗を低減することができる。
【０００４】
ところで、アルミニウム材と銅材との接触部分、別な言い方をすれば異種金属同士の接触部分は、この接触部分に水分が介在すると、アルミニウム及び銅の両金属が水中にイオンとして溶け込んで両者の間に電位差などが生じて電食が起こることが知られる。尚、アルミ電線の導体と、銅製又は銅合金製の圧着端子とを電気的、機械的に接続すると、圧着端子の導体加締め片による導体の圧着部分では、高圧縮になる圧着であることから浸水が防止され、結果、電食の発生が回避される。けれども、導体加締め片による導体の圧着部分に対し端子軸方向（電線延在方向）の位置では、導体が一部露出した状態にあることから、ここに水分が付着して上記圧着部分にまで達してしまうと、圧着部分が恰も電解溶液に浸漬された状態になって、イオン化傾向が大きい金属であるアルミニウムが溶解して電食が進んでしまうという虞がある。そこで、導体の露出部分に対する水分の付着や、圧着部分に対する浸水を防止するため、従来においては図１６に示すような防食部１１５（封止部）が形成される（例えば、下記特許文献１参照）。
【０００５】
図１６において、引用符号１０１はアルミ電線、引用符号１０２は圧着端子を示す。アルミ電線１０１は、アルミニウム製又はアルミニウム合金製の導体１０３と、この導体１０３を覆う絶縁性の樹脂被覆１０４とを備えて構成される。アルミ電線１０１は、樹脂被覆１０４の端部を除去して導体露出部１０５が形成される。一方、圧着端子１０２は、雌形の端子金具であって、銅製又は銅合金製の金属板をプレス加工することにより、図示形状に形成される。圧着端子１０２は、矩形筒状の電気接触部１０６と、加締め部１０７と、これら電気接触部１０６及び加締め部１０７を連結する連結部１０８とを有する。加締め部１０７には、導体露出部１０５を載置するための載置部１０９と、この載置部１０９に載置された導体露出部１０５を加締めるための導体加締め片１１０と、導体露出部１０５の近傍の樹脂被覆１０４を加締めるための被覆加締め片１１１とが形成される。
【０００６】
上記構成及び構造において、導体露出部１０５を導体加締め片１１０にて加締めてなる導体加締め部分１１２と、導体露出部１０５の近傍の樹脂被覆１０４を被覆加締め片１１１にて加締めてなる被覆加締め部分１１３とを含んで電線・端子接続部１１８が形成される。尚、導体加締め部分１１２においては、導体露出部１０５の長さと導体加締め片１１０の幅との関係から、非加締め部分１１４が生じてしまう。そこで、この非加締め部分１１４を覆うような状態で、電線・端子接続部１１８には防食部１１５（封止部）が形成される。防食部１１５は、二つのディスペンサーの各ノズル１１６から防食材１１７（封止材）をそれぞれ滴下し、そして、この滴下にて塗布された防食材１１７を硬化させることにより形成される。尚、防食材１１７としては、シリコーンゴムが採用される。
【先行技術文献】
【特許文献】
【０００７】
【特許文献１】特開２０１１−１１３７０８号公報
【発明の概要】
【発明が解決しようとする課題】
【０００８】
上記従来技術にあっては、二つのディスペンサーの各ノズル１１６から防食材１１７をそれぞれ滴下し、そして、この滴下にて塗布された防食材１１７を硬化させて防食部１１５が形成される。従来例の形成方法では、上方からの防食材１１７の滴下になるため、濡れ漏れが生じた場合、防食部１１５の形成が不十分になってしまうという問題点を有する。
【０００９】
上記濡れ漏れの一例としては、例えば導体露出部１０５と樹脂被覆１０４との境界部分に生じるエアーポケットに起因したエアーのかみ込みが挙げられる。そして、このエアーのかみ込みが防食材１１７の硬化の際に破裂した場合には、防食部１１５の機能が損なわれてしまうという問題点を有する。
【００１０】
本発明は、上記した事情に鑑みてなされたもので、封止性の高い（防食性や防水性の高い）電線付き端子の製造方法を提供することを課題とする。
【課題を解決するための手段】
【００１１】
上記課題を解決するためになされた請求項１に記載の本発明の電線付き端子の製造方法は、電線の樹脂被覆を除去して導体露出部を形成する電線加工工程と、前記導体露出部の位置に端子金具を接続して電線・端子接続部を形成する電線・端子接続工程と、前記電線・端子接続部を覆う封止部を形成するため、ノズルから封止材を前記電線・端子接続部に供給する封止材供給工程とを含んで製造するとともに、該封止材供給工程では、前記ノズル及び前記端子金具の間に電圧を印加することによって前記封止材に前記端子金具に誘起された電荷に対して極性を有する電荷を誘起し、かつ、前記ノズルをＸＹＺ方向に移動させて、又は、前記電線・端子接続部と前記ノズルとの相対位置関係をＸＹＺ方向に変化させて、前記封止材を糸引き状態で、前記ノズルによる前記封止材の供給位置の反対側を含む前記電線・端子接続部の端子軸回り全周にわたって覆うように供給することを特徴とする。
【００１２】
このような特徴を有する本発明によれば、例えば、ノズルをＸＹＺ方向に移動させながら封止材を電線・端子接続部に供給するようになる。別な言い方をすれば、ノズルに細かい動作を加えながら封止材を電線・端子接続部に供給するようになる。本発明のように、ノズルに細かい動作を加えながら封止材を供給すると、エアーのかみ込みが起こり難い状態で電線・端子接続部は封止材によって覆われるようになる。
【００１３】
請求項２に記載の本発明は、請求項１に記載の電線付き端子の製造方法において、前記電線・端子接続工程では、前記導体露出部を前記端子金具の導体加締め片にて加締めてなる導体加締め部分と、該導体加締め部分周辺の非加締め部分と、前記導体露出部近傍の前記樹脂被覆を前記端子金具の被覆加締め片にて加締めてなる被覆加締め部分とを含む範囲で前記電線・端子接続部を形成し、前記封止材供給工程では、前記範囲で形成された電線・端子接続部を覆うように前記封止材を供給するとともに、該供給にあたっては少なくとも前記非加締め部分の位置で、前記ノズルを前記ＸＹＺ方向に移動させる、又は、前記電線・端子接続部と前記ノズルとの相対位置関係をＸＹＺ方向に変化させることを特徴とする。
【００１４】
このような特徴を有する本発明によれば、エアーポケットが生じ易くなる部分を少なくとも対象にして、例えば、ノズルに細かい動作を加えながら封止材を供給するようになる。
【００１５】
請求項３に記載の本発明は、請求項１又は２に記載の電線付き端子の製造方法において、前記封止材供給工程の前に前記電線・端子接続部を所定位置からカメラにて撮影するとともに、該撮影された画像をもとに前記ノズルの初期位置を決定するノズル初期位置決定工程を更に含むことを特徴とする。
【００１６】
このような特徴を有する本発明によれば、ノズルの初期位置が決定されるようになる。別な言い方をすれば、封止材の供給開始位置が決定されるようになる。
【００１７】
尚、上記請求項１に記載の本発明は、電線をアルミ電線、端子金具をアルミ電線に対し異種金属となるもの、封止材を防食材、封止部を防食部、として対象を限定すれば、次のような特徴になる。すなわち、「アルミニウム製又はアルミニウム合金製の導体と、該導体を覆う絶縁性の樹脂被覆とを備える電線の、前記樹脂被覆を除去して導体露出部を形成する電線加工工程と、前記導体露出部の位置に、母材が銅製又は銅合金製の端子金具を接続して電線・端子接続部を形成する電線・端子接続工程と、前記電線・端子接続部を覆う防食部を形成するため、ノズルから防食材を前記電線・端子接続部に供給する防食材供給工程とを含んで製造するとともに、該防食材供給工程では、前記ノズルをＸＹＺ方向に移動させて、又は、前記電線・端子接続部と前記ノズルとの相対位置関係をＸＹＺ方向に変化させて、前記防食材を前記電線・端子接続部に供給することを特徴とする電線付き端子の製造方法。」になる。
【００１８】
また、上記請求項１に記載の本発明は、封止材を防水材、封止部を防水部、として対象を限定すれば、次のような特徴になる。すなわち、「電線の樹脂被覆を除去して導体露出部を形成する電線加工工程と、前記導体露出部の位置に端子金具を接続して電線・端子接続部を形成する電線・端子接続工程と、前記電線・端子接続部を覆う防水部を形成するため、ノズルから防水材を前記電線・端子接続部に供給する防水材供給工程とを含んで製造するとともに、該防水材供給工程では、前記ノズルをＸＹＺ方向に移動させて、又は、前記電線・端子接続部と前記ノズルとの相対位置関係をＸＹＺ方向に変化させて、前記防水材を前記電線・端子接続部に供給することを特徴とする電線付き端子の製造方法。」になる。
【発明の効果】
【００１９】
請求項１に記載された本発明によれば、例えば、ノズルをＸＹＺ方向に移動させて封止材を電線・端子接続部に供給することから、封止材の供給状態が良好になるのは勿論であり、結果、濡れ漏れを防止することができるという効果を奏する。また、エアーのかみ込みを防止して封止材の硬化の際に破裂が起こらないようにすることもできるという効果を奏する。従って、本発明によれば、封止性の高い（防食性や防水性の高い）電線付き端子の製造方法を提供することができるという効果を奏する。
【００２０】
請求項２に記載された本発明によれば、導体加締め部分及びこの周辺の非加締め部分と、被覆加締め部分とを含んで電線・端子接続部を形成し、これを封止部にて覆うようにすることから、従来例よりも広い範囲で覆うように封止部を形成することができるという効果を奏する。また、本発明によれば、封止材の供給にあたり、少なくとも非加締め部分の位置で、例えば、ノズルをＸＹＺ方向に移動させることから、エアーポケットが生じ易くなる部分の濡れ漏れを確実に防止することができるという効果を奏する。従って、本発明によれば、封止性の高い（防食性や防水性の高い）電線付き端子の製造方法を提供することができるという効果を奏する。
【００２１】
請求項３に記載された本発明によれば、電線・端子接続部に対し常に同じ位置から封止材の供給を開始することができ、以て安定した封止部の形成をすることができるという効果を奏する。
【図面の簡単な説明】
【００２２】
【図１】電線付き端子を示す斜視図である。
【図２】図１のＡ−Ａ線断面図である。
【図３】防食部を形成する前の電線付き端子の斜視図である。
【図４】図３のＢ−Ｂ線断面図である。
【図５】本発明の電線付き端子の製造方法を説明するための斜視図である。
【図６】図５のＡ−Ａ線断面図である。
【図７】本発明の電線付き端子の製造方法に係る工程説明図である。
【図８】防食材の供給に係る説明図であり、（ａ）は被覆加締め部分への供給に係る図、（ｂ）は非加締め部分への供給に係る図である。
【図９】防食材の供給に係る説明図であり、（ａ）は導体加締め部分への供給に係る図、（ｂ）は導体締め部分の前側への供給に係る図である。
【図１０】図８及び図９の変形例に係る説明図であり、（ａ）は非加締め部分への供給に係る図、（ｂ）は導体締め部分への供給に係る図である。
【図１１】ワイヤハーネスを構成するコネクタの斜視図である。
【図１２】図１１のコネクタハウジングの図であり、（ａ）は斜視図、（ｂ）はＣ−Ｃ線断面図である。
【図１３】変形例に係る図であり、電線付き端子の製造方法を説明するための斜視図である。
【図１４】図１３のカメラによる撮影範囲を示す図であり、（ａ）は上面の撮影範囲の図、（ｂ）は側面の撮影範囲の図である。
【図１５】図１３の金属製ノズルの初期位置を示す図であり、（ａ）は被覆加締め部分のハイトが低い場合の図、（ｂ）はハイトが高い場合の図である。
【図１６】従来例の電線付き端子の図であり、（ａ）は斜視図、（ｂ）はＤ−Ｄ線断面図である。
【発明を実施するための形態】
【００２３】
電線付き端子は、アルミ電線と、圧着端子とを備えて構成される。アルミ電線は、アルミニウム製又はアルミニウム合金製の導体と、この導体を覆う絶縁性の樹脂被覆とを備えて構成される。アルミ電線は、樹脂被覆を除去して導体露出部が形成される（電線加工工程）。圧着端子は、圧着部分としての加締め部を有し、この加締め部には、導体加締め片及び被覆加締め片が形成される。電線付き端子は、導体露出部に加締め部を圧着して電線・端子接続部が形成される（電線・端子接続工程）。そして、この電線・端子接続部を覆う防食部を形成するため、ノズルから防食材が電線・端子接続部に供給される（防食材供給工程）。防食材の供給にあたっては、ノズルをＸＹＺ方向に移動させるようにして、又は、電線・端子接続部とノズルとの相対位置関係をＸＹＺ方向に変化させるようにして、防食材が電線・端子接続部に供給される。
【実施例】
【００２４】
以下、図面を参照しながら実施例を説明する。図１は電線付き端子を示す斜視図である。また、図２は図１のＡ−Ａ線断面図、図３は防食部を形成する前の電線付き端子の斜視図、図４は図３のＢ−Ｂ線断面図である。さらに、図５は本発明の電線付き端子の製造方法を説明するための斜視図、図６は図５のＡ−Ａ線断面図、図７は本発明の電線付き端子の製造方法に係る工程説明図、図８〜図１０は防食材の供給に係る説明図である。この他、図１１はワイヤハーネスを構成するコネクタの斜視図、図１２は図１１のコネクタハウジングの図である。
【００２５】
＜電線付き端子１の構成について＞
図１及び図２において、引用符号１は電線付き端子を示す。電線付き端子１は、アルミ電線２（電線）と、このアルミ電線２の端末に配設される圧着端子３（端子金具）とを備えて構成される。また、電線付き端子１は、アルミ電線２及び圧着端子３における異種金属同士の接続部分に防食部４（封止部、防水部）を有するように構成される。尚、本実施例の電線付き端子１は、アルミ電線２の端末に圧着端子３を配設してなるものであるが、例えばアルミ電線２の中間に適宜形状の端子金具を配設してもよいものとする。
【００２６】
＜アルミ電線２の構成及び構造について＞
図１ないし図４において、アルミ電線２は、断面円形状で且つ曲げの力を加えた時に元の状態に戻ろうとする反力が発生するような柔軟性を有するものが採用される。アルミ電線２は、導体５と、樹脂被覆６とを備えて構成される。
【００２７】
導体５は、断面円形状の複数本の素線（符号省略）を撚り合わせて形成される。この素線は、アルミニウム製又はアルミニウム合金製である。すなわち、導体５は、アルミニウム製又はアルミニウム合金製のものである。導体５は、所定の導体断面積を有する。そして、この導体断面積の部分がアルミ電線２の電線長の分だけ存在する。アルミニウム材は、比重が２．７０ｇ／ｃｍ３であり、後述する銅材の比重が８．９６ｇ／ｃｍ３であることから、アルミ電線２は軽量であって長尺な車載用電線として使用されれば燃費効率の向上等に有効である。
【００２８】
尚、アルミニウム材は、電気化学反応における標準電極電位が−１．６７６Ｖであり、また、後述する銅材の標準電極電位は＋０．３４０Ｖである。これらの電位差は大きなものであり、そのためアルミニウム材と銅材との間に水分が浸入して滞留してしまうと、アルミニウム、銅、及び電解質水溶液により電池が形成される。そして、この電池の陽極になる方、すなわち導体５の方に異種金属接触腐食（ガルバニック腐食、電食）が発生してしまうことになる。このようなことから、電食を防ぐための防食部４が必要になるのは勿論である。
【００２９】
樹脂被覆６は、所謂絶縁体であって、絶縁性を有する樹脂材料を導体５の外側に押出成形することにより断面円形状に形成される。上記樹脂材料としては、公知の様々な種類のものが採用可能である。例えば、ポリ塩化ビニル樹脂やポリエチレン樹脂、ポリプロピレン樹脂などの高分子材料から適宜選択される。
【００３０】
以上のようなアルミ電線２は、この端末において樹脂被覆６が所定長さ分だけ除去されて導体露出部７が形成される。
【００３１】
＜圧着端子３の構造について＞
図１ないし図４において、圧着端子３は、雌形の端子金具であって、母材が銅製又は銅合金製の金属板をプレス加工することにより、例えば図示形状に形成される（雄形の端子金具であってもよいものとする）。尚、特に図示しないが、上記母材の表面にメッキが施されるものとする。メッキは、異種金属接触部分になる銅材とアルミニウム材との間に介在することになる。圧着端子３は、電気接触部８と、加締め部９と、これら電気接触部８及び加締め部９を連結する連結部１０とを有する。
【００３２】
電気接触部８は、図示しない相手端子金具との電気的な接続部分であって、断面長方形の筒形状に形成される。電気接触部８の内部には、相手端子金具のタブに対する挿入空間が形成される。また、タブが挿入されると弾性的に接触する弾性接触片１１が形成される。電気接触部８における引用符号１２は、後述するコネクタハウジング５２のランス５４に引っ掛かり係止される被係止部を示す。
【００３３】
加締め部９は、アルミ電線２との電気的な接続部分であって、本実施例の端子金具は圧着端子３であることから、圧着により接続可能な部分に形成される。具体的には、アルミ電線２の導体露出部７を載置するための載置部１３と、この載置部１３に載置された導体露出部７を加締めるための一対の導体加締め片１４と、導体露出部７の近傍の樹脂被覆６を加締めるための一対の被覆加締め片１５とを有する部分に形成される。尚、載置部１３は底板と称することもある。また、導体加締め片１４はワイヤバレルと称することもある。さらに、被覆加締め片１５はインシュレーションバレルと称することもある。
【００３４】
一対の導体加締め片１４と一対の被覆加締め片１５は、端子軸方向に所定の間隔をあけて配置される。また、一対の導体加締め片１４と一対の被覆加締め片１５は、加締め前の形状が共に略Ｖ字状になる形状に形成される。尚、一対の導体加締め片１４が導体露出部７を加締め、一対の被覆加締め片１５が樹脂被覆６を加締めることから、これらは加締め対象の形状や外周長の差に合わせて異なる幅や突出長さで形成される。
【００３５】
以上のような加締め部９に対し導体露出部７が圧着されると、引用符号１６で示すような電線・端子接続部が形成される。電線・端子接続部１６は、導体露出部７を一対の導体加締め片１４にて加締めてなる導体加締め部分１７と、この導体加締め部分１７の周辺の非加締め部分１８と、導体露出部７の近傍の樹脂被覆６を一対の被覆加締め片１５にて加締めてなる被覆加締め部分１９とを含んで形成される。
【００３６】
連結部１０は、端子軸方向に所定長さでのびる略樋形状に形成される。連結部１０の端子軸方向一端には、電気接触部８が連成される。また、連結部１０の端子軸方向他端には、加締め部９が連成される。
【００３７】
＜防食部４について＞
図１及び図２において、防食部４は、電食を防止するため電線・端子接続部１６を水密に覆う部分として形成される。具体的には、図中の矢印を上下・左右・前後と定義すると、加締め部９の上側（導体加締め部分１７及び非加締め部分１８の上側）、加締め部９の下側（載置部１３の下側）、加締め部９の左側・右側、加締め部９の前側（導体加締め部分１７の前側）、被覆加締め部分１９の後側、を覆う部分として防食部４が形成される。別な言い方をすれば、電線・端子接続部１６の前後と、電線・端子接続部１６の端子軸回り全周にわたって覆う部分として防食部４が形成される。
【００３８】
＜電線付き端子１の製造方法について＞
図５ないし図７において、電線付き端子１は、次のような工程を経て製造される。すなわち、電線加工工程Ｓ１と、電線・端子接続工程Ｓ２と、防食材供給工程Ｓ３（封止材供給工程、防水材供給工程）と、防食材硬化工程Ｓ４（封止材硬化工程、防水材硬化工程）とを順に経て製造される。防食材供給工程Ｓ３と防食材硬化工程Ｓ４は、防食部４を形成するための工程（形成方法）である。尚、変形例で後述するが、電線・端子接続工程Ｓ２と防食材供給工程Ｓ３との間にノズル初期位置決定工程を含ませて製造してもよいものとする。
【００３９】
電線加工工程Ｓ１では、アルミ電線２の端末に導体露出部７を形成することが行われる。具体的には、樹脂被覆６を所定長さ分だけ除去して導体５を露出させて導体露出部７を形成することが行われる。
【００４０】
電線・端子接続工程Ｓ２では、導体露出部７の位置に圧着端子３の加締め部９を配置して、この後に圧着接続により電線・端子接続部１６を形成することが行われる。圧着においては、圧着機のアンビルとクリンパとによるプレス、すなわち加締めが行われる。加締め部９に対し導体露出部７が圧着されると、導体加締め部分１７と、非加締め部分１８と、被覆加締め部分１９とが形成される。
【００４１】
防食材供給工程Ｓ３では、防食材２０（封止材、防水材）を電線・端子接続部１６に供給することが行われる。防食材供給工程Ｓ３では、次のような構成の防食材供給装置が使用される。防食材供給装置は、金属製ノズル２１を有するディスペンサー（静電併用型ディスペンサー）と、金属製ノズル２１及び圧着端子３の間に電圧を印加する電圧印加部２２と、上記ディスペンサーや電圧印加部２２を制御する制御部とを含んで構成される。
【００４２】
防食材２０は、液状の紫外線硬化性樹脂が採用される。このような防食材２０は、金属製ノズル２１及び圧着端子３の間に電圧が印加されると、液表面にプラスの電荷が誘起される。尚、金属製ノズル２１及び圧着端子３の間に印加される電圧は、本実施例において３ｋＶ程度である。一方、圧着端子３の側には、マイナスの電荷が誘起される。
【００４３】
金属製ノズル２１及び圧着端子３の間に電圧が印加されると、防食材２０の液の界面は電気力線の方向に静電的な力で引っ張られる。すなわち、金属製ノズル２１から電線・端子接続部１６に向かう方向に電荷を帯びた状態で防食材２０が引き寄せられる。防食材２０が引っ張られると（引き寄せられると）、この防食材２０は金属製ノズル２１における先端部の濡れ上がりのない状態で電線・端子接続部１６に接触する。具体的には、電界が集中する部分まで連続する略糸引き状態になって接触する。
【００４４】
防食材供給工程Ｓ３では、防食材２０の供給にあたり金属製ノズル２１を図５及び図６の矢印Ｘ、Ｙ、Ｚ方向に移動させる。又は、電線・端子接続部１６と金属製ノズル２１との相対位置関係をＸ、Ｙ、Ｚ方向に変化させる。尚、これらは本発明の製造方法における特徴であり、詳細については、図５及び図６と、図８ないし図１０とを参照しながら後述する。
【００４５】
防食材２０は、電荷を帯びた状態で供給されることから、このような防食材２０は静電気力によって電線・端子接続部１６に引き寄せられ、この後に供給位置の反対側まで回り込むような状態で供給される。すなわち、上側から供給されても電線・端子接続部１６の下側まで回り込むような全周にわたって防食材２０が供給される。電線・端子接続部１６の全周にわたって供給された防食材２０は、静電気力による引き寄せの力が作用して液だれすることなくその場に留まるようになる。この他、防食材２０は、非加締め部分１８における導体５の素線内に浸透して留まるようにもなる。
【００４６】
防食材硬化工程Ｓ４では、電線・端子接続部１６の全周にわたって供給された防食材２０に対し紫外線（ＵＶ光）を照射してＵＶ硬化させることが行われる。防食材２０は、液状の紫外線硬化性樹脂からなることから、例えばＵＶライト２３の紫外線照射によるエネルギーを受けると、上記留まった状態を保持しながら短時間で硬化する。防食材２０が硬化すると、電線・端子接続部１６を水密に覆う防食部４の形成が完了する。すなわち、電線付き端子１の製造が完了する。
【００４７】
防食部４は、上記説明から分かるように、十分な状態で形成することができる。また、防食部４は、最大幅がＷ１、最大高さがＨ１になるような形状に形成することができる。これは、防食材２０が上述の如く略糸引き状態になって供給されることから、供給量を精度良く管理することが可能になり、結果、防食部４の形状が安定するからである。防食部４の形状が安定することは、後述するコネクタ５１（図１１参照）の組み付けに有効である。
【００４８】
＜防食材２０の供給に係る特徴について＞
図５及び図６において、上述の如く、金属製ノズル２１を矢印Ｘ、Ｙ、Ｚ方向に移動させながら防食材２０の供給を行うことが本発明の製造方法における特徴になる。又は、圧着端子３を図示しないＸＹテーブルに固定し、そして、このＸＹテーブルをＸ、Ｙ方向に移動させるとともに、金属製ノズル２１を必要に応じてＺ方向に移動させながら防食材２０の供給を行うことが本発明の製造方法における特徴になる。尚、図示しない制御装置を備え、この制御装置にてＸ、Ｙ、Ｚ方向の移動が制御されるものとする。
【００４９】
図８（ａ）において、防食材２０の供給についてもう少し詳しく説明すると（ここでの説明は一例であるものとする）、先ず、被覆加締め部分１９の後側に金属製ノズル２１が配置され、次に防食材２０の供給が開始される。防食材２０の供給が開始されると、金属製ノズル２１は矢印Ｘ方向に首振りをしながら（左右方向に移動しながら）徐々に矢印Ｙ方向（前方向）に移動する。尚、矢印Ｘ方向に首振りをしながらＺ方向（下方向）に更に移動してもよいものとする。これは被覆加締め部分１９のハイトが高くなると特に有効である。Ｘ、Ｙ方向の移動に伴って（Ｘ、Ｙ、Ｚ方向の移動に伴って）、被覆加締め部分１９は防食材２０にて完全に覆われる（図５及び図６参照）。
【００５０】
図８（ｂ）において、被覆加締め部分１９の側から移動してきた金属製ノズル２１は、非加締め部分１８の上側で矢印Ｘ方向に首振りをしながらＺ方向にも移動する。そして、徐々に矢印Ｙ方向にも移動する。具体的には、左方向に首振りをした後に下側に移動し、そして直ぐに上側に戻ったら今度は右側に首振りをし、この後に下側に移動をして直ぐに上側に戻る、ということを繰り返しつつ、徐々に矢印Ｙ方向に移動する（尚、Ｙ方向の動きに関し、前のみならず、後へ若干戻ってから前に進むような、前後への細かな動きなってもよいものとする。また、Ｘ、Ｚ方向の動きに関しては、図１０（ａ）の矢印に示すような略円弧状の動きになってもよいものとする）。Ｘ、Ｙ、Ｚ方向の移動に伴って、非加締め部分１８は防食材２０にて完全に覆われる（図５及び図６参照）。
【００５１】
図９（ａ）において、非加締め部分１８の側から移動してきた金属製ノズル２１は、導体加締め部分１７の上側を矢印Ｙ方向に移動する。尚、ここでは矢印Ｙ方向に移動するのみの供給になるが、図１０（ｂ）に示すように矢印Ｘ方向に首振りをしながら徐々に矢印Ｙ方向（前方向）に移動する供給になってもよいものとする。導体加締め部分１７は、防食材２０にて一部又は全部が覆われる（図５及び図６参照）。
【００５２】
図９（ｂ）において、導体加締め部分１７の前側まで移動してきた金属製ノズル２１は、最後に、矢印Ｘ方向に首振りをしながら若干矢印Ｙ方向（前方向）に移動する。導体加締め部分１７の前側は、防食材２０にて完全に覆われる（図５及び図６参照）。
【００５３】
以上の説明からも分かるように、金属製ノズル２１に細かい動作を加えながら防食材２０が電線・端子接続部１６に供給される。金属製ノズル２１に細かい動作を加えながら防食材２０が供給されると、特に非加締め部分１８の位置において、エアーのかみ込みが起こり難い状態になるのは勿論である。
【００５４】
＜電線付き端子１の使用例について＞
図１１において、電線付き端子１は、ワイヤハーネスの端末に配設されるコネクタ５１の一構成部品として使用される。コネクタ５１は、一対の電線付き端子１の他に、絶縁性を有するコネクタハウジング５２を備えて構成される。
【００５５】
図１１及び図１２において、コネクタハウジング５２は、樹脂成形品であって矩形の箱形状に形成される。コネクタハウジング５２の内部には、一対の端子収容室５３が形成される。端子収容室５３は、コネクタハウジング５２の前面から後面までを貫通するように形成される。端子収容室５３には、電線付き端子１の圧着端子３（被係止部１２）を引っ掛けて係止するためのランス５４が形成される。また、端子収容室５３には、圧着端子３が当接するストッパ部５５と、図示しない相手端子金具のタブが挿入されるタブ挿入口５６とが形成される。
【００５６】
端子収容室５３は、コネクタハウジング５２の後面において、幅がＷ２、高さがＨ２で開口するように形成される。幅Ｗ２は、防食部４の最大幅Ｗ１よりも大きく（Ｗ２＞Ｗ１）、また、高さＨ２も防食部４の最大高さＨ１より大きい（Ｈ２＞Ｈ１）。つまり、防食部４を有する電線付き端子１であっても、端子収容室５３に対する圧着端子３の収容は問題ない。
【００５７】
コネクタハウジング５２の外側には、図示しない相手コネクタに対するガイドリブ５７と、ロッキングアーム５８とが形成される。
【００５８】
＜電線付き端子１のまとめ、及び、製造方法の効果について＞
以上、図１ないし図１２を参照しながら説明してきたように、電線付き端子１は、アルミ電線２と、圧着端子３とを備えて構成される。アルミ電線２は、アルミニウム製又はアルミニウム合金製の導体５と、この導体５を覆う絶縁性の樹脂被覆６とを備えて構成される。アルミ電線２は、樹脂被覆６を除去して導体露出部７が形成される（電線加工工程Ｓ１）。一方、圧着端子３は、圧着部分としての加締め部９を有し、この加締め部９には、一対の導体加締め片１４及び被覆加締め片１５が形成される。電線付き端子１は、導体露出部７に加締め部９を圧着して電線・端子接続部１６が形成される（電線・端子接続工程Ｓ２）。そして、この電線・端子接続部１６を覆うようにして防食部４が形成される。防食部４は、圧着端子３と金属製ノズル２１との間に電圧を印加し且つ金属製ノズル２１から電荷を帯びた防食材２０を電線・端子接続部１６に引き寄せるような状態で供給することにより形成される（防食材供給工程Ｓ３）。また、防食部４は、電線・端子接続部１６に供給された防食材２０に対し紫外線を照射しＵＶ硬化させて形成される（防食材硬化工程Ｓ４）。
【００５９】
電線付き端子１によれば、防食部４の形成にあたり、静電気力によって防食材２０が電線・端子接続部１６に引き寄せられるようになる。また、電線・端子接続部１６に供給された防食材２０に対しては、静電気力による引き寄せの力が作用することから、防食材２０が電線・端子接続部１６に留まるようになる。
【００６０】
また、電線付き端子１によれば、防食部４の形成にあたり、電荷を帯びた防食材２０が静電気力によって引き寄せられて供給位置の反対側まで回り込むようになる。すなわち、電線・端子接続部１６の全周にわたって防食材２０が供給されるようになる。全周にわたって供給された防食材２０は、静電気力による引き寄せの力が作用して液だれすることなくその場に留まるようになる。
【００６１】
また、電線付き端子１によれば、防食部４の形成にあたり、紫外線硬化性樹脂からなる防食材２０が採用される。防食材２０は、静電気力による引き寄せの力が作用することから電線・端子接続部１６に留まり、そして、留まった状態で例えばＵＶライト２３等による紫外線の照射がなされると、この紫外線照射によるエネルギーを受けて、上記留まった状態を保持しながら硬化するようになる。
【００６２】
また、電線付き端子１によれば、防食部４の形成にあたり、導体加締め部分１７及びこの周辺の非加締め部分１８と、被覆加締め部分１９とを含んで電線・端子接続部１６が形成されるようになる。すなわち、防食部４は、比較的広い範囲で形成されるようになる。
【００６３】
一方、電線付き端子１の製造方法によれば、金属製ノズル２１をＸＹＺ方向に移動させながら防食材２０を電線・端子接続部１６に供給するようになる。別な言い方をすれば、金属製ノズル２１に細かい動作を加えながら防食材２０を電線・端子接続部１６に供給するようになる。このように金属製ノズル２１に細かい動作を加えながら防食材２０を供給すると、エアーのかみ込みが起こり難い状態で電線・端子接続部１６は防食材２０によって覆われるようになる。
【００６４】
従って、本発明の電線付き端子１の製造方法によれば、濡れ漏れを防止することができるという効果を奏する。また、エアーのかみ込みを防止して防食材２０の硬化の際に破裂が起こらないようにすることもできるという効果を奏する。
【００６５】
＜本発明の製造方法に係る変形例について＞
図１３ないし図１５を参照しながら本発明の製造方法に係る変形例について説明をする。図１３は変形例に係る図であり、電線付き端子の製造方法を説明するための斜視図である。また、図１４は図１３のカメラによる撮影範囲を示す図であり、（ａ）は上面の撮影範囲の図、（ｂ）は側面の撮影範囲の図である。さらに、図１５は図１３の金属製ノズルの初期位置を示す図であり、（ａ）は被覆加締め部分のハイトが低い場合の図、（ｂ）はハイトが高い場合の図である。
【００６６】
変形例は、ノズル初期位置決定工程（図示省略）を含んでの製造方法である。ノズル初期位置決定工程は、図７の電線・端子接続工程Ｓ２と防食材供給工程Ｓ３との間で行われる工程であって、金属製ノズル２１の初期位置を決定することを目的とする。ノズル初期位置決定工程において、ここで必要になる構成としてはノズル初期位置決定装置が挙げられる。ノズル初期位置決定装置は、二つのカメラ６１と、ノズル初期位置決定部６２とを含んで構成される。
【００６７】
ノズル初期位置決定装置は、二つのカメラ６１にて電線・端子接続部１６をこの上面及び側面から撮影する（電線・端子接続部１６全体でなく、被覆加締め部分１９のみの撮影であってもよいものとする）。撮影範囲は、例えば図１４の仮想線で示す通りである。二つのカメラ６１にて撮影された撮影画像は、ノズル初期位置決定部６２において金属製ノズル２１の初期位置を決定するために用いられる。初期位置が決定されると、この決定位置に金属製ノズル２１は配置される。具体的には、図１５（ａ）に示す如く被覆加締め部分１９の後側に一定の高さＨ３で金属製ノズル２１は配置される。尚、一定の高さＨ３は、被覆加締め部分１９のハイトＨ４が低い場合から、図１５（ｂ）の高い場合（ハイトＨ５参照）に変更されても同じになるものとする。
【００６８】
ノズル初期位置決定工程によれば、被覆加締め部分１９に対し常に同じ位置から防食材２０の供給を開始することができ、以て安定した防食部４の形成をすることができるという効果を奏する。
【００６９】
尚、ノズル初期位置決定工程ではノズル初期位置決定装置を用いることから、金属製ノズル２１は傾いた状態になるものとする。これは、カメラ６１との干渉を避けるためである。金属製ノズル２１が傾いた状態であっても、電荷を帯びた防食材２０は静電気力により引き寄せられることから問題が生じることはない。
【００７０】
本発明は本発明の主旨を変えない範囲で種々変更実施可能なことは勿論である。
【符号の説明】
【００７１】
１…線付き端子、  ２…アルミ電線（電線）、  ３…圧着端子（端子金具）、  ４…防食部（封止部、防水部）、  ５…導体、  ６…樹脂被覆、  ７…導体露出部、  ８…電気接触部、  ９…加締め部、  １０…連結部、  １１…弾性接触片、  １２…被係止部、  １３…載置部、  １４…導体加締め片、  １５…被覆加締め片、  １６…電線・端子接続部、  １７…導体加締め部分、  １８…非加締め部分、  １９…被覆加締め部分、  ２０…防食材（封止材、防水材）、  ２１…金属製ノズル、  ２２…電圧印加部、  ２３…ＵＶライト、  ５１…コネクタ、  ５２…コネクタハウジング、  ５３…端子収容室、  ５４…ランス、  ５５…ストッパ部、  ５６…タブ挿入口、  ５７…ガイドリブ、  ５８…ロッキングアーム、  ６１…カメラ、  ６２…ノズル初期位置決定部、  Ｓ１…電線加工工程、  Ｓ２…電線・端子接続工程、  Ｓ３…防食材供給工程（封止材供給工程、防水材供給工程）、  Ｓ４…防食材硬化工程（封止材硬化工程、防水材硬化工程）
【図１】
0006489526.tif 000002
【図２】
0006489526.tif 000003
【図３】
0006489526.tif 000004
【図４】
0006489526.tif 000005
【図５】
0006489526.tif 000006
【図６】
0006489526.tif 000007
【図７】
0006489526.tif 000008
【図８】
0006489526.tif 000009
【図９】
0006489526.tif 000010
【図１０】
0006489526.tif 000011
【図１１】
0006489526.tif 000012
【図１２】
0006489526.tif 000013
【図１３】
0006489526.tif 000014
【図１４】
0006489526.tif 000015
【図１５】
0006489526.tif 000016
【図１６】
0006489526.tif 000017